(57)【要約】【課題】スクリーン上部からのオーバーフローを回避するとともに、目詰まりを生じさせることなく効率的かつ確実に除塵できるようにした越流水の除塵装置を提供すること。【解決手段】越流堰１の上に半円筒状の円筒形スクリーン２を配設するとともに、円筒形スクリーン２の側方に、所定水位を超える越流水を放流する開口部を形成し、開口部に止水板３を開放可能に配設する。【選択図】図１
2007162210.tif 000002
【特許請求の範囲】
【請求項１】
流水路に設けた越流堰上に半円筒状の円筒形スクリーンを配設するとともに、該円筒形スクリーンの側方に所定水位を超える越流水を放流する開口部を形成し、該開口部に止水板を開放可能に配設したことを特徴とする越流水の除塵装置。
【請求項２】
円筒形スクリーンのデッドスペースに、開口部及び止水板を付帯して一体に構成したことを特徴とする請求項１記載の越流水の除塵装置。
【請求項３】
円筒形スクリーンと開口部及び止水板とを別体に構成したことを特徴とする請求項１記載の越流水の除塵装置。
【発明の詳細な説明】
【技術分野】
【０００１】
本発明は、越流水の除塵装置に関し、特に、円筒形スクリーンにより目詰まりを生じさせることなく効率的かつ確実に除塵するとともに、水位上昇に対応することができる越流水の除塵装置に関するものである。
【背景技術】
【０００２】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川や海域、湖沼等に放流するようにしている。
【０００３】
これらの施設では、雨水貯留池や放流管渠への流入部に適当な高さの越流堰を設け、該越流堰で雨水流入量を調整するようにしている。
しかし、降雨初期の増水に伴う上記施設への越流水には、分流式下水道の雨水管渠では道路面のごみが、また合流式管渠では道路面のごみや汚物等が含まれており、これらは、越流部分から貯留池や河川等へと流れ込むため、利水における障害となったり、放流水域を汚濁するという問題があった。
【０００４】
そこで、この利水における障害や放流水域の汚濁を防止する目的で、雨水に含まれるごみ等が貯留池や河川等へ流入するのを防ぐように、合流管渠の主幹線から越流雨水幹線への落ち口等に除塵装置を配設している。
この除塵装置は、例えば、越流雨水幹への落ち口等に、バースクリーンを垂直あるいは上部が後退するように傾斜して配設し、バースクリーンに捕捉されたごみを、バースクリーンに沿って移動するレーキ装置にて掻き取り排出するようにしている。
【０００５】
ところで、上記従来の越流水の除塵装置においては、バースクリーン式除塵機などにおいては、除去すべき流量に合わせてスクリーン高さなどが予め定められているが、雨水貯留池へ流入する雨水や、放流管渠を経て河川、湖沼等に放流する雨水流量は不確定であり、一定水位での処理は困難であることから、スクリーン上部のオーバーフローが頻繁に生じるなどの問題があった。
【発明の開示】
【発明が解決しようとする課題】
【０００６】
本発明は、上記従来の越流水の除塵装置が有する問題に鑑み、スクリーン上部からのオーバーフローを回避するとともに、目詰まりを生じさせることなく効率的かつ確実に除塵できるようにした越流水の除塵装置を提供することを目的とする。
【課題を解決するための手段】
【０００７】
上記目的を達成するため、本発明の越流水の除塵装置は、流水路に設けた越流堰上に半円筒状の円筒形スクリーンを配設するとともに、該円筒形スクリーンの側方に所定水位を超える越流水を放流する開口部を形成し、該開口部に止水板を開放可能に配設したことを特徴とする。
【０００８】
この場合、円筒形スクリーンのデッドスペースに、開口部及び止水板を付帯して一体に構成することができる。
【０００９】
また、円筒形スクリーンと開口部及び止水板とを別体に構成することができる。
【発明の効果】
【００１０】
本発明の越流水の除塵装置によれば、流水路に設けた越流堰上に半円筒状の円筒形スクリーンを配設するとともに、該円筒形スクリーンの側方に所定水位を超える越流水を放流する開口部を形成し、該開口部に止水板を開放可能に配設することから、通常の水位では、越流堰上に配設した円筒形スクリーンにより一定範囲のごみは除去し、ごみ除去の必要以上の水位では、止水板を開放することにより流入水量増加に伴う水位上昇を防止することができ、これにより、越流水に含まれるごみの濾過除去を高効率で行うことができる。
【００１１】
この場合、円筒形スクリーンのデッドスペースに、開口部及び止水板を付帯して一体に構成したり、また、円筒形スクリーンと開口部及び止水板とを別体に構成したりすることにより、設置現場の状況に応じて除塵装置を適切に施工することができる。
【発明を実施するための最良の形態】
【００１２】
以下、本発明の越流水の除塵装置の実施の形態を図面に基づいて説明する。
【実施例１】
【００１３】
図１〜図３に、本発明の越流水の除塵装置を、越流雨水幹への落ち口等に適用した実施例を示す。
この越流水の除塵装置は、越流雨水幹への落ち口等に形成した越流水を濾過するように、越流堰１の上に半円筒状の円筒形スクリーン２を配設するとともに、該円筒形スクリーン２の側方に、所定水位を超える越流水を放流する開口部を形成し、該開口部に止水板３を開放可能に配設している。
【００１４】
円筒形スクリーン２は、所要の径と長さを有し、流水路６側に開口する半円筒状の濾過体からなり、周面はパンチングメタル等の微細目スクリーンで構成されるとともに、両端部は端板により閉塞されている。
この円筒形スクリーン２は、越流雨水幹への落ち口等に越流水を濾過するように配設されており、円筒形スクリーン２内部に溜まったごみを掻き出すスクリュー式排出装置７と、該スクリュー式排出装置７を駆動するスクリーン駆動用水車４とを備えている。
【００１５】
また、円筒形スクリーン２は、越流堰１の上方位置に配設する際、特に限定されるものではないが、例えば、図１及び図２（ａ）（ｂ）に示すように、越流雨水の水位が円筒形スクリーン２の上部位置以下の場合は通常処理を行い、越流雨水に含まれるごみ（夾雑物）を濾過により除去できるようにする。
これに対し、越流雨水の水位が円筒形スクリーン２の上部位置を越える場合は、図３及び図２（ｃ）（ｄ）に示すように、転倒止水板３を開放し、開口部よりバイパス水路を形成して異常時処理を行い、水位上昇を軽減する非常放流をできるような構造とする。
これにより、ごみに対しては降雨初期のごみの流入が多い場合を濾過除去し、豪雨時は水理的影響を最小限に抑えることができる。
【００１６】
一方、開口部は、円筒形スクリーン２の両側に、所定水位を超える越流水を放流するように形成されている。
また、止水板３は、略水平に設置された転倒回転シャフト５を軸に転倒可能に設けられており、上部が下流側に転倒することにより、転倒回転シャフト５の下から越流水を放流するようにしている。
止水板３は、転倒回転シャフト５を境として上半部が下半部より高く大きく形成されており、水位が上昇して上半部にかかる水圧が下半部を越えたときに、自動的に転倒して越流水を放流する。
また、水位が下がると下半部にかかる水圧が上半部を越えることから、止水板３は元の閉止位置に復帰する。復帰後は、止水板３の一部が逆転止めのストッパ（図示省略）に当接することにより、それ以上の回転が阻止され閉止位置が保持される。
なお、開口部及び止水板３は、円筒形スクリーン２のデッドスペースに、これらを付帯して一体に構成したり、円筒形スクリーン２と開口部及び止水板３とを別体に構成したりすることができる。
【００１７】
かくして、本実施例の越流水の除塵装置によれば、流水路６に設けた越流堰１上に半円筒状の円筒形スクリーン２を配設するとともに、該円筒形スクリーン２の側方に所定水位を超える越流水を放流する開口部を形成し、該開口部に止水板３を開放可能に配設することから、通常の水位では、越流堰１上に配設した円筒形スクリーン２により一定範囲のごみは除去し、ごみ除去の必要以上の水位では、止水板３を開放することにより流入水量増加に伴う水位上昇を防止することができ、これにより、越流水に含まれるごみの濾過除去を高効率で行うことができる。
【００１８】
また、円筒形スクリーン２のデッドスペースに、開口部及び止水板３を付帯して一体に構成したり、また、円筒形スクリーン２と開口部及び止水板３とを別体に構成したりすることにより、設置現場の状況に応じて除塵装置を適切に施工することができる。
【００１９】
以上、本発明の越流水の除塵装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２０】
本発明の越流水の除塵装置は、単にスクリーンでごみを掻き取る方式とは異なり、水位上昇に対する変動が少なく、あらゆる水量に対する濾過除去効果が得られるという特性を有していることから、様々な越流堰の除塵装置の用途に好適に広く用いることができる。
【図面の簡単な説明】
【００２１】
【図１】本発明の越流水の除塵装置の一実施例を示し、（ａ）はその平面図、（ｂ）は同正面図である。
【図２】同越流水の除塵装置を示し、（ａ）は図１（ｂ）のＡ−Ａ線断面図、（ｂ）は同Ｂ−Ｂ線断面図、（ｃ）は図３（ｂ）のＡ−Ａ線断面図、（ｄ）は同Ｂ−Ｂ線断面図である。
【図３】同越流水の除塵装置の放水時の状態を示し、（ａ）はその平面図、（ｂ）は同正面図である。
【符号の説明】
【００２２】
１    越流堰
２    円筒形スクリーン
３    転倒止水板
４    水車
５    転倒回転シャフト
６    流水路
７    スクリュー式排出装置
【図１】
2007162210.tif 000003
【図２】
2007162210.tif 000004
【図３】
2007162210.tif 000005